(57)【特許請求の範囲】
【請求項１】
被鑑定ダイヤモンドのテーブル面が下になるように前記ダイヤモンドを透明板上に置き、
前記透明板の下方の光源から前記ダイヤモンドのクラウン各面と前記テーブル面に白色光を照射し、
前記透明板の上方のデジタルカメラによって、前記ダイヤモンドを透過した光を撮像して観察することによって鑑定する装飾用ダイヤモンドの鑑定方法であって、更に、
前記ダイヤモンドの前記テーブル面が上になるように取付台を用いて前記ダイヤモンドを前記透明板上に載置し、
前記透明板上に載置された前記ダイヤモンドを覆うように、開口を有する凹面鏡を前記透明板に取り付け、
前記凹面鏡を用いて、前記透明板の下方の前記光源からの白色光を前記ダイヤモンドの前記クラウン各面と前記テーブル面とに照射し、
前記透明板の上方の前記デジタルカメラと前記凹面鏡の前記開口との間の光路の周りを光遮蔽筒で覆いながら、前記デジタルカメラによって、前記反射した光の画像を撮像して観察することによって更に鑑定することを特徴とする装飾用ダイヤモンドの鑑定方法。
【請求項２】
前記ダイヤモンドを透過した光の色を観察することを特徴とする請求項１に記載の装飾用ダイヤモンドの鑑定方法。
【請求項３】
前記ダイヤモンドの中で反射した光の色を観察することを特徴とする請求項１又は２に記載の装飾用ダイヤモンドの鑑定方法。
【発明の詳細な説明】
【０００１】
【発明の属する技術分野】
本発明は装飾用宝石特に装飾用にカットした新しいダイヤモンドの鑑定方法に関するものである。
【０００２】
【従来の技術】
装飾用宝石はカットが施されている。ダイヤモンド80ではブリリアントカットが施されていて、その形状は図１０に示すようなものである。図１０（Ａ）は平面図、図１０（Ｂ）は側面図、図１０（Ｃ）は底面図である。ここで上面はテーブル面81であり、ガードル82よりも上部は略円錐台形をしたクラウン部で、テーブル面が円錐台の頂面を形成している。ガードル82よりも下部は略円錐形をしたパビリオン部でその頂点にキューレット83と呼ばれている部分がある。クラウン部の外周には通常８ヶのメインファセット84があり、テーブル外周とメインファセットとの間にスターファセット85が形成されているとともに、ガードル82とメインファセット84との間にアッパーガードルファセット86が形成されている。また、パビリオン部の外周には通常８ヶのメインファセット87が形成されているとともに、ガードルとメインファセットとの間にロワーガードルファセット88が形成されている。
【０００３】
ダイヤモンドの評価に用いられる４Ｃは、カラット（重さ）、カラー、クラリティー、カットであり、これらのうちのカラット、カラー、クラリティーはその石が本来持っている性質であって人が手を加えることのできないものであるが、カットの仕方によって輝きを変えることができる。そのために種々のカットが検討されて、宝石に施されている。
【０００４】
装飾用宝石は、カットを施した上で台座に取り付けられている。例えばダイヤモンド80は図１１に示すように、パビリオン部が台座90の中に埋め込まれていて、ガードル82よりも上のクラウン部とテーブル81が台座90から出ている。このために、テーブルやクラウン部は外から見えるが、パビリオン部は台座90の外側からは見えないものとなっていて、テーブル面やクラウンの各面を通して、その上からパビリオン部のカットの様子が観察されるのみである。
【０００５】
テーブル上から見たダイヤモンドが輝いて観察されるのは、テーブル面やクラウン各面から入射した光がダイヤモンドの内部で屈折反射して、ダイヤモンドのクラウンやテーブルから出てきた光が観察者に達するためである。
【０００６】
装飾用ダイヤモンドは上に述べたように、パビリオン部はほとんど台座に埋め込まれているので、パビリオン面から外部に出てきた光は観察者には到達せず、パビリオン各面で反射された光がテーブル面やクラウン各面から出てきたときにその光が観察者によって観察されることになる。
【０００７】
ところがダイヤモンド80の品質などの鑑定は図１２に示すように、パビリオン各面の母線に対して直角の方向からガードル82の方向との間から観察して行っていた。ダイヤモンド80の色はカラーグレードのわかっているマスターストーンと比較して、官能的に鑑定をしていた。またダイヤモンドの鑑定書にダイヤモンドの写真を貼付することも行われていたが、その写真はテーブル面上及びキューレット上から接写をして写真を撮っていた。
【０００８】
【発明が解決しようとする課題】
このような方向からの鑑定では、台座に取り付けた宝石を観察するときの輝きを評価することが出来ないものである。
【０００９】
そこで本発明では、装飾用宝石など特に装飾用にカットしたダイヤモンドの観察時に観察されるのと同じ特徴を鑑定することのできる鑑定方法を提供することを目的としている。
【００１０】
【課題を解決するための手段】
本発明の装飾用宝石の鑑定方法は、被鑑定宝石の通常に観察される面に白色光を照射して、当該宝石中で反射した光を前記面上から通常に観察する距離で観察することによって鑑定することを特徴とする。
【００１１】
前記、被鑑定宝石の通常に観察される面から白色光を照射して、当該宝石中で反射した光を通常に観察する位置から写真を撮って鑑定することが好ましい。
【００１２】
本発明の装飾用宝石の鑑定方法において装飾用宝石としてカットしたダイヤモンドを用いる場合には、被鑑定ダイヤモンドのクラウン各面とテーブル面に白色光を照射して、当該ダイヤモンドの中で反射した光をテーブル面上からテーブル面とクラウン各面を見て観察することによって鑑定する。
【００１３】
ここで通常に観察する位置とは、ダイヤモンドのテーブル面上で通常に観察する距離約200 〜500mm 離れたところで、テーブル面とクラウン各面とを見ることのできる場所である。
【００１４】
前記本発明の装飾用ダイヤモンドの鑑定方法において、前記反射した光の色を観察することが好ましい。また、前記反射した光の写真を通常に観察する位置から撮ることが好ましい。
【００１５】
本発明の装飾用宝石の鑑定方法において、通常に観察する位置から撮った写真を鑑定書に貼付することが好ましい。
【００１６】
本発明の装飾用ダイヤモンドの鑑定方法において、被鑑定ダイヤモンドのクラウン各面とテーブル面に白色光を照射して、当該ダイヤモンドを透過した光をパビリオン面側から観察することが好ましい。また、前記透過した光の写真を撮ることが好ましい。
【００１７】
前記本発明の装飾用ダイヤモンドの鑑定方法において、前記透過した光の写真を鑑定書に貼付することが好ましい。
【００１８】
【発明の実施の形態】
本発明による装飾用宝石の鑑定方法を、図面を参照しながら、詳しく説明する。図１は本発明による装飾用宝石の鑑定方法を説明するための側面図である。
【００１９】
この図で白色光などの光源11の略真上にガラス板などの透明板12からなるテーブルが設けられている。透明板上に、宝石の取付台13が置かれている。この取付台13には鑑定されるべき宝石（例えば、ダイヤモンド80）を取り付けることのできる窪みが付けられている。窪みは、ダイヤモンドの場合逆円錐形をしていて、鑑定されるべきダイヤモンド80のパビリオン部が略入り込む大きさをしている。取付台13の窪みに鑑定されるべきダイヤモンド80をそのテーブルが上になるようにして取り付けられる。ダイヤモンド80を載置した取付台13を覆うように凹面鏡14を取り付けて、光源11から出た光15を鑑定されるべきダイヤモンド80のテーブル面及びクラウン各面に入射させる。凹面鏡上部中央には開口16が付いていて、その開口16の真下に鑑定されるべきダイヤモンド80を位置させると、開口16を通してダイヤモンドを観察できるようになる。ダイヤモンド80のテーブル上で、テーブルから200 〜500mm 離れた位置から凹面鏡14に開けられた開口16を通してダイヤモンドのテーブル面を見ると、テーブル面及びクラウン各面から出てきた光が観察される。
【００２０】
図１に示している鑑定方法によれば、凹面鏡14によって鑑定すべきダイヤモンド80のテーブル面とクラウン各面に入射した光15がダイヤモンドの中で屈折と反射を受けて、テーブル面、クラウン各面から出てきた光を観察しているので、ダイヤモンドを通常観察するときと同じ位置に鑑定する人の目を置いており、通常の観察と同じ特徴の評価を本発明の鑑定方法では実施することができる。
【００２１】
図１では、鑑定すべきダイヤモンド80から上に200 〜500mm 離れた位置にデジタルカメラ17を設置して、デジタルカメラ17で撮影した画像をディスプレイ18に表示させるようにしている。このとき、凹面鏡上部の開口16とデジタルカメラ17との間の光路の周りに光遮蔽筒（図示せず）をおいて、周りからカメラに光が入ってこないようにすることが好ましい。デジタルカメラ17の画像をプリントして鑑定書に添付することによって、観察時とほぼ同じ画像を鑑定書に載せることができることになる。ここで、デジタルカメラ17の出力信号をパソコン（図示せず）に入力して、デジタルカメラ17の出力信号を画像処理することもできる。この画像処理によってダイヤモンド80からの反射光をスペクトル化して反射光の波長毎のスペクトル分布も得ることもできる。デジタルカメラ17の出力信号をパソコンとともにディスプレイ18に入力することで、ダイヤモンドからの反射光の画像とともに、反射光スペクトルを得ることができる。
【００２２】
このようにして撮影したダイヤモンドの反射光の様子を示す写真をトレースしたものを図２〜５に示している。図２は本出願人による出願中の特願2000-18146号で提案しているカットを施したダイヤモンドを図１に示す鑑定方法で撮影したもので、光の弱いところをａ１、次に光の弱いところをａ２、光の強いところをａ３として示している。最も強く輝いている部分はハッチングを施していない。図３はその像から青色のみを取りだした写真をトレースしたものである。図３で、青色光の濃いところはｂ１，中間調のところはｂ２，薄い青のところはｂ３として示している。図２と図３を比較して明らかなように、全体の光像を示している図２の像が、図２の像から青色のみを取りだした図３の像とほとんど同じなので、図２に示す像はほとんど青色から出来ていることがわかる。図４は、従来からあるＧＩＡシステムによるカットを施したダイヤモンドを、図１に示す鑑定方法で撮影したもので、光の弱いところをａ１、次に光の弱いところをａ２、光の強いところをａ３として示している。また、最も強く輝いている部分はハッチングを施していない。図５はその像から青色のみを取りだした写真をトレースしたものである。ここで青の中間調のところはｂ２，薄い青のところはｂ３としている。図５を図４の像と比較して明らかなように、青色光はほとんど出ていないことがわかる。これらの図から明らかなように、本出願人が既出願で提案しているカットを施したダイヤモンドは、ＧＩＡシステムのカットを施したものよりも青色光が強く出ている。一方、従来のカットを施したダイヤモンドは細かい反射像が現れているが、白黒のモノカラーの強いものである。
【００２３】
また、ダイヤモンドの輝きの程度を数値化して表すこともできる。輝きはＡＧＬカット基準でエクセレントと評価されるＤ〜Ｅカラーのダイヤモンドで1.23以下、Ｆ〜Ｇカラーで0.95以下である。輝きを測定するには、図１のデジタルカメラ17の位置に、光度計のフォトセルをおいて、輝きの強さを測定する。あるいは、図１でデジタルカメラ17からの出力画像をスキャニングして輝きの強さを測定することもできる。輝きを測定しようとしているダイヤモンドと、輝きのわかっているキャリブレーション用ダイヤモンドを図１の測定位置に置いて、輝きの強さを測定しそれらを比較することによって、輝きを数値化することができる。
【００２４】
ダイヤモンドからの反射光をスペクトル化して、それをダイヤモンドの色分布あるいは色の質とすることもできる。図１で光源11からの白色光をダイヤモンド80のテーブル面およびクラウン各面に入射させて、ダイヤモンド内部で反射して出てきた光を、図１のデジタルカメラ17の位置で観測して、その反射光を分光して、反射光の強度スペクトルを波長毎に測定する。強度スペクトルの測定の仕方は、分光技術の分野ではよく知られているので詳しく述べることは省略する。このスペクトルはダイヤモンドのカット、クラリティー、カラーなどによって決まるので、個々のダイヤモンドで特徴のあるものとなる。そこでこの反射光のスペクトルもダイヤモンドの鑑定書に載せることは好ましいことである。
【００２５】
図１に示した本発明の鑑定方法を応用して宝石の透過光を観察することができる。図６に透過光の観察方法に用いる装置の説明図を示している。図６で図１と同じ部品については同じ符号を用いて示している。図６で、光源11、透明板12、デジタルカメラ17は図１と同じものである。ここで透明板上に観察されるダイヤモンド80の入る大きさをした開口42を持ったマスク41が設置されていて、この開口42にダイヤモンド80がテーブル面を下にして置かれている。光源11からの光15は、マスク開口42のダイヤモンド80を通ってデジタルカメラ17に入るように光軸が一致している。デジタルカメラ17はダイヤモンド80から200 〜500mm 離れた位置に置かれている。
【００２６】
光源からダイヤモンドのテーブルとクラウンに入射した光のうちあるものはダイヤモンドの中で反射されるが、あるものはパビリオン各面から出てきてデジタルカメラに到達するので、この装置で透過光の観察と撮像ができる。
【００２７】
この装置を用いて、本出願人が提案しているカットを施したダイヤモンドと従来ＧＩＡシステムのカットを施したダイヤモンドとを観察したときの画像を各々図７と図８に示している。これらの図で、赤色光のところはｒ、黄色光のところはｙ、青色光の中間調のところはｂ２，青色光の薄いところはｂ３で色を示している。図７の画像は赤色光の強いものとなっている。しかし、図８のＧＩＡシステムのカットを施したものでは青色光がパビリオン面に出ている。
【００２８】
本出願人の既出願で提案しているカットを施したダイヤモンドは、テーブル面及びクラウン各面からの反射光は図２、３にあるように青色光の強いものとなり、パビリオンからの透過光は図７にあるように赤色の勝ったものとなっている。しかし、従来のＧＩＡカットを施したダイヤモンドでは、図４，５，８に示すように強い分光が生じていないものとなっている。
【００２９】
このように、本発明の鑑定方法では、ダイヤモンドの輝きだけでなく、ダイヤモンド内部での光の分光までも観察できるものである。本出願人が特願2000-18146号で提案しているカットを施したダイヤモンドは、テーブルやクラウン各面に入射した光が、ダイヤモンド内部で分光されて、紫色に近い短い波長の光がテーブルやクラウン各面から出射され、赤色に近い長い波長の光がパビリオン各面に透過してくるものである。観察されるダイヤモンドのカラーが黄色がかったものであっても、この分光のために、ダイヤモンドの上面から観察した場合に、青色光の強い白色に見える。このダイヤモンドの輝きを本発明による鑑定方法では測定できることになる。
【００３０】
本発明の装飾用宝石の鑑定方法を実施した結果を図９に示す鑑定書（すなわち品質証明書）に記載して、宝石に添付される。この鑑定書には、カット名、重量、品質（カラー等級、輝きの強度とスペクトル、クラリティーの等級）の欄、品質基準の説明、写真の貼付欄、鑑定者名の欄がある。写真の貼付欄には図２で説明したダイヤモンドの平面写真と、図７で説明したダイヤモンドの底面写真とが貼り付けられているが、平面写真のみでも良い。
【００３１】
以上の説明は装飾用宝石としてカットを施したダイヤモンドを用いて行ったが、ダイヤモンド以外の宝石例えばサファイアやルビーなどにも適用できるものである。
【００３２】
【発明の効果】
以上本発明による装飾用宝石の鑑定方法を詳しく説明したように、本発明の鑑定方法は装飾用宝石を実際の観察とほとんど同じ視点から鑑定することによって、観察と鑑定の評価を一致させることができた。更に、宝石内部で入射光の分光が生じる場合には、その分光の特色を反映した鑑定とすることができるようになった。
【図面の簡単な説明】
【図１】本発明による装飾用宝石の鑑定方法を説明するための側面図である。
【図２】図１に示す鑑定方法で撮影したダイヤモンドの反射光を示す写真図である。
【図３】図２の写真図から青色光のみを取りだした写真図である。
【図４】図１に示す鑑定方法で撮影したダイヤモンドの反射光を示す写真図である。
【図５】図４の写真図から青色光のみを取りだした写真図である。
【図６】透過光の観察方法に用いる装置の説明図である。
【図７】図６に示す装置で撮影したダイヤモンドの透過光を示す写真図である。
【図８】図６に示す装置で撮影したダイヤモンドの透過光を示す写真図である。
【図９】本発明によって装飾用宝石を鑑定した結果を示している鑑定書の一例を示す。
【図１０】カットを施したダイヤモンドであって、（Ａ）はその平面図、（Ｂ）はその側面図、（Ｃ）はその底面図である。
【図１１】台座に取り付けたダイヤモンドの側面図である。
【図１２】従来の鑑定方法を説明する図である。
【符号の説明】
11光源
12透明板
13取付台
14凹面鏡
15光
16開口
17デジタルカメラ
18ディスプレイ
41マスク
42開口
80ダイヤモンド
81テーブル面
82ガードル
83キューレット
84メインファセット
85スターファセット
86アッパーガードルファセット
87メインファセット
88ロワーガードルファセット
90      台座
【図１】
0004663855.tif 000002
【図２】
0004663855.tif 000003
【図３】
0004663855.tif 000004
【図４】
0004663855.tif 000005
【図５】
0004663855.tif 000006
【図６】
0004663855.tif 000007
【図７】
0004663855.tif 000008
【図８】
0004663855.tif 000009
【図９】
0004663855.tif 000010
【図１０】
0004663855.tif 000011
【図１１】
0004663855.tif 000012
【図１２】
0004663855.tif 000013